(57)【要約】【課題】、原水の導入をよりスムーズに行い性能を向上させることのできる浄水カートリッジ及びそれを備えた浄水器を得る。【解決手段】天面が開口されるとともに、浄化剤１５が内部に充填されたケース７と、当該ケース７の開口を覆うように結合され且つ導水口８ａが形成された蓋８とを備え、蓋８には、導水口８ａよりも高い位置となるようにエア抜き孔３０が形成されているとともに、エア抜き孔３０および導水口８ａには、浄化剤１５の外部への漏れを防止するフィルタ部材２５が一体成型された浄水カートリッジ６を用いる。【選択図】図２
2010162491.tif 000002
【特許請求の範囲】
【請求項１】
天面が開口されるとともに、水を浄化する浄化剤が内部に充填されたケースと、前記ケースの開口を覆うように結合され且つ水を導入する導水口が形成された蓋とを備え、
前記蓋には、前記導水口よりも高い位置となるようにエア抜き孔が形成されているとともに、当該エア抜き孔および導水口には、前記浄化剤の外部への漏れを防止するフィルタ部材が一体成型されていることを特徴とする浄水カートリッジ。
【請求項２】
天面が開口されるとともに、水を浄化する浄化剤が内部に充填されたケースと、前記ケースの開口を覆うように結合され且つ水を導入する導水口が形成された蓋とを備え、
前記蓋には、エア抜き孔が形成されているとともに、当該エア抜き孔よりも低い位置となるように前記導水口が形成されており、
前記ケースと前記蓋との間には、前記エア抜き孔と前記導水口とを覆って前記浄化剤の外部への漏れを防止するフィルタ部材が配設されていることを特徴とする浄水カートリッジ。
【請求項３】
天面が開口されるとともに、水を浄化する浄化剤が内部に充填されたケースと、前記ケースの開口を覆うように結合され且つ水を導入する導水口が形成された蓋とを備え、
前記蓋には、エア抜き孔が形成されているとともに、当該エア抜き孔よりも低い位置となるように前記導水口が形成されており、且つ、
前記導水口の口径が前記浄化剤よりも小さいことを特徴とする浄水カートリッジ。
【請求項４】
天面が開口されるとともに、水を浄化する浄化剤が内部に充填されたケースと、前記ケースの開口を覆うように結合され且つ水を導入する導水口が形成された蓋とを備え、
前記蓋は、前記導水口よりも高い位置となるように形成されたエア抜き孔を有するともに、前記ケースは、底壁部と当該底壁部の外周から立設される周壁部とを有しており、
前記底壁部に、前記ケースの天面に向け隔壁を立設させて前記浄化剤を収容する浄化室を設け、
前記底壁部の平面視で前記浄化室における開口領域を避ける位置に前記導水口を設けたことを特徴とする浄水カートリッジ。
【請求項５】
天面が開口されるとともに、水を浄化する浄化剤が内部に充填されたケースと、前記ケースの開口を覆うように結合され且つエア抜き孔が形成された蓋とを備え、
前記ケースは、底壁部と当該底壁部の外周から立設される周壁部とを有しており、
前記周壁部に、水を導入する導水口を形成するとともに、前記底壁部に、前記ケースの天面に向け隔壁を立設させて前記浄化剤を収容する浄化室を設け、
前記隔壁を前記導水口よりも高い位置となるように延在させたことを特徴とする浄水カートリッジ。
【請求項６】
原水を導入して少なくとも浄化した浄水を得る請求項１〜５のうち何れか１項に記載の浄水カートリッジを着脱可能に装着した浄水器。
【発明の詳細な説明】
【技術分野】
【０００１】
本発明は、浄水カートリッジ及びそれを備えた浄水器に関する。
【背景技術】
【０００２】
従来の浄水器として、フィルタカップと蓋との間にドーム状の布インサートを配置させるとともに、当該布インサートを浄化剤に接触させて設けることで、ふるい状入口から導入される水の表面張力を遮って、空気の背圧による水流の抵抗を抑制したものが知られている（例えば、特許文献１参照）。
【先行技術文献】
【特許文献】
【０００３】
【特許文献１】特開平１０−７６２５３号公報
【発明の概要】
【発明が解決しようとする課題】
【０００４】
しかしながら、上記従来技術では、布インサートに加えふるい状入口を介して原水が導入される構造であるため、圧力損失が増大して抵抗が大きくなり、浄水カートリッジの性能が低下してしまうという問題があった。
【０００５】
そこで、本発明は、原水の導入をよりスムーズに行い性能を向上させることのできる浄水カートリッジ及びそれを備えた浄水器を得ることを目的とする。
【課題を解決するための手段】
【０００６】
前記した目的を達成するため、請求項１に記載の発明は、天面が開口されるとともに、水を浄化する浄化剤が内部に充填されたケースと、前記ケースの開口を覆うように結合され且つ水を導入する導水口が形成された蓋とを備え、前記蓋には、前記導水口よりも高い位置となるようにエア抜き孔が形成されているとともに、当該エア抜き孔および導水口には、前記浄化剤の外部への漏れを防止するフィルタ部材が一体成型されていることを特徴とする。
【０００７】
請求項２に記載の発明は、天面が開口されるとともに、水を浄化する浄化剤が内部に充填されたケースと、前記ケースの開口を覆うように結合され且つ水を導入する導水口が形成された蓋とを備え、前記蓋には、エア抜き孔が形成されているとともに、当該エア抜き孔よりも低い位置となるように前記導水口が形成されており、前記ケースと前記蓋との間には、前記エア抜き孔と前記導水口とを覆って前記浄化剤の外部への漏れを防止するフィルタ部材が配設されていることを特徴とする。
【０００８】
請求項３に記載の発明は、天面が開口されるとともに、水を浄化する浄化剤が内部に充填されたケースと、前記ケースの開口を覆うように結合され且つ水を導入する導水口が形成された蓋とを備え、前記蓋には、エア抜き孔が形成されているとともに、当該エア抜き孔よりも低い位置となるように前記導水口が形成されており、且つ、前記導水口の口径が前記浄化剤よりも小さいことを特徴とする。
【０００９】
請求項４に記載の発明は、天面が開口されるとともに、水を浄化する浄化剤が内部に充填されたケースと、前記ケースの開口を覆うように結合され且つ水を導入する導水口が形成された蓋とを備え、前記蓋は、前記導水口よりも高い位置となるように形成されたエア抜き孔を有するともに、前記ケースは、底壁部と当該底壁部の外周から立設される周壁部とを有しており、前記底壁部に、前記ケースの天面に向け隔壁を立設させて前記浄化剤を収容する浄化室を設け、前記底壁部の平面視で前記浄化室における開口領域を避ける位置に前記導水口を設けたことを特徴とする。
【００１０】
請求項５に記載の発明は、天面が開口されるとともに、水を浄化する浄化剤が内部に充填されたケースと、前記ケースの開口を覆うように結合され且つエア抜き孔が形成された蓋とを備え、前記ケースは、底壁部と当該底壁部の外周から立設される周壁部とを有しており、前記周壁部に、水を導入する導水口を形成するとともに、前記底壁部に、前記ケースの天面に向け隔壁を立設させて前記浄化剤を収容する浄化室を設け、前記隔壁を前記導水口よりも高い位置となるように延在させたことを特徴とする。
【００１１】
請求項６に記載の発明は、原水を導入して少なくとも浄化した浄水を得る請求項１〜５のうち何れか１項に記載の浄水カートリッジを着脱可能に装着した浄水器である。
【発明の効果】
【００１２】
請求項１の発明によれば、原水はフィルタ部材が一体成型された導水口通過時のみの圧力損失ですむため、水の抵抗を抑制できるとともに、導水口よりも高い位置となるようにエア抜き孔が形成されているため、水の導入をスムーズに行うことができ、浄水カートリッジの性能を向上することができる。
【００１３】
請求項２の発明によれば、請求項１と同等の効果を得ることができるとともに、後加工でフィルタ部材を配設できる分、蓋の形状の制約が少なく設計自由度を拡大することができる。
【００１４】
請求項３の発明によれば、請求項１と同等の効果を得ることができるとともに、導水口の口径を浄化剤よりも小さくすることで、空気抜き孔にフィルタ部材を配設するだけですむ分、フィルタ部材の部品点数を削減することができる。
【００１５】
請求項４の発明によれば、導水口と当該導水口よりも高い位置となるように設けられたエア抜き孔とで水の導入をスムーズに行うことができるとともに、底壁部の平面視で浄化室における開口領域を避ける位置に前記導水口が設けられているため、チャネリングの発生を防止して原水を確実に浄化させることができ、これにより、浄水カートリッジの性能を向上することができる。
【００１６】
請求項５の発明によれば、隔壁を導水口よりも高い位置となるように延在させたため、請求項４と同様にチャネリングの発生を防止して浄水カートリッジの性能を向上することができるとともに、導水口がケースの周壁部に設けられているため、導水口と空気抜き孔との高低差を大きくでき、水の導入をよりスムーズに行うことができる。
【００１７】
請求項６の発明によれば、上記作用効果を奏する浄水カートリッジを装備した浄水器を得ることができる。
【図面の簡単な説明】
【００１８】
【図１】本発明の実施形態にかかる浄水器の断面図。
【図２】本発明の第１実施形態にかかる浄水カートリッジの断面図。
【図３】本発明の第１実施形態にかかる浄水カートリッジの斜視図。
【図４】本発明の第２実施形態にかかる浄水カートリッジの断面図。
【図５】本発明の第２実施形態にかかる浄水カートリッジの斜視図。
【図６】本発明の第３実施形態にかかる浄水カートリッジの断面図。
【図７】本発明の第３実施形態にかかる浄水カートリッジの斜視図。
【図８】本発明の第４実施形態にかかる浄水カートリッジの断面図。
【図９】本発明の第４実施形態にかかる浄水カートリッジの変形例を示した断面図。
【図１０】本発明の第５実施形態にかかる浄水カートリッジの断面図。
【図１１】本発明の第５実施形態にかかる浄水カートリッジの斜視図。
【発明を実施するための形態】
【００１９】
以下、本発明の実施形態について図面を参照しながら詳細に説明する。なお、以下の複数の実施形態には、同様の構成要素が含まれている。よって、以下では、それら同様の構成要素には共通の符号を付与するとともに、重複する説明を省略する。
【００２０】
［第１実施形態］
図１〜図３は、本発明の第１実施形態を示しており、図１は、浄水器の断面図、図２は、浄水カートリッジの断面図、図３は、浄水カートリッジの斜視図である。
【００２１】
まずは、図１を参照して本実施形態にかかる浄水器１の概略構成について説明する。この浄水器１は、ポット型浄水器として構成されている。略有底筒状のポットケース２の筒内には、略有底筒状の隔壁体３が収容されており、この隔壁体３によって、ポットケース２の筒内が、上側の略半分をなす原水室４と下側の略半分をなす浄水室５とに区画されている。
【００２２】
隔壁体３の底壁３ａには、下方に向けて凹設された略円筒状の凹部３ｂが形成されている。この凹部３ｂに、略円筒状の浄水カートリッジ６が、上方から奥まで差し込まれて嵌着される。凹部３ｂの奥壁３ｃには、開口３ｄが形成されている。
【００２３】
浄水カートリッジ６が凹部３ｂに嵌着された状態では、浄水カートリッジ６の上部６ａが原水室４内に露出し、この上部６ａで蓋８に形成された導水口８ａが原水室４に臨むようになっている。また、この状態では、浄水カートリッジ６の下部６ｂが、開口３ｄから浄水室５内に露出し、この下部６ｂでケース７に形成された排水口７ｃが浄水室５に臨むようになっている。原水室４内の原水は、導水口８ａから浄水カートリッジ６内に導入され、少なくとも浄化された後に、排水口７ｃから浄水室５内に排出される。
【００２４】
原水室４の上方には、給水口９ａの形成された天壁９が配置されている。給水口９ａは、天壁９に回動可能に取り付けられた上開き式の蓋１０によって、開閉可能に塞がれている。原水は、蓋１０を上方に開いた状態で給水口９ａを介して原水室４内に供給される。
【００２５】
また、隔壁体３の側壁３ｅとポットケース２との間には、浄水室５から上方に向けて伸びる通路１１が形成されており、ポットケース２または天壁９には、通路１１の上端部となる位置に、注水口１１ａを形成してある。本実施形態では、ポットケース２を注水口１１ａが下方となるように傾倒させることで（図１ではポットケース２を時計回り方向に傾倒させることで）、浄水室５内に貯留された浄水を、通路１１を経て注水口１１ａから排出させる。なお、本実施形態では、注水口１１ａは、ポットケース２あるいは天壁９に回動可能に支持された上開き式の蓋１２によって、開閉可能に塞がれている。この場合、ポットケース２を傾けたときに、蓋１２を自重や水の動圧等によって回動させ、注水口１１ａを開放するように構成することができる。
【００２６】
次に、図２、図３を参照して、浄水カートリッジ６の構成について説明する。本実施形態の浄水カートリッジ６は、天面が開口されたケース７と当該ケース７の開口を覆うように結合される蓋８とを備え、結合状態で略円筒状の外形を呈しており、当該円筒状の中心軸Ａｘ（図１，図２参照）が上下方向に沿う姿勢で使用される。なお、以下では、使用状態における浄水カートリッジ６の円筒形状を基準として、上下方向、軸方向、周方向、および径方向を規定する。
【００２７】
ケース７は、略円形状の底壁部１３と当該底壁部１３の外周から立設される周壁部１４とを備えている。ケース７内には、例えば活性炭やイオン交換樹脂等の浄化剤１５が充填されており、当該ケース７の底壁部１３および周壁部１４と蓋８とによって、浄化剤１５を収容する浄化室Ｓ１を形成している。
【００２８】
底壁部１３の略中央部分には、浄化室Ｓ１に導入された水を排水口７ｃから排出するための孔１３ａが設けられている。この底壁部１３の孔１３ａには、排水口７ｃに連通する大径部１６が連設されており、本実施形態では、この大径部１６の内部が例えばカルシウム等の添加剤２０を収容した添加剤収容室Ｓ２として機能する。添加剤２０は、例えば当該添加剤２０の粒径よりも小さく設定された透水性の袋部材等に収容して添加剤収容室Ｓ２に設けることができる。そして、大径部１６の下端には小径部１７が連設されており、当該小径部１７に排水口７ｃが設けられている。
【００２９】
また、ケース７には、多孔質プレート１８が当該ケース７の下方まで圧入して設けられている。この多孔質プレート１８は、浄化剤１５が添加剤収容室Ｓ２に漏れてしまうのを防止するためのもので、プレートに形成される細孔の口径が浄化剤１５の粒径よりも小さく設定されており、浄化剤１５はこの多孔質プレート１８の上に充填される。
【００３０】
さらに、本実施形態では、この多孔質プレート１８が、浄水カートリッジ６の中心軸Ａｘから放射状に延びるようにして底壁部１３に部分的に突設された凸部１９により、底上げされた状態で保持されている。多孔質プレート１８が底上げされることにより、浄化室Ｓ１に導入された水は多孔質プレート１８の略全面から流れ落ちることとなるため、底壁部１３に底上げされずに多孔質プレート１８を設けた場合と比べて、水の流れをスムーズにすることができる。なお、例えば、底壁部１３を添加剤収容室Ｓ２に向けて傾斜させるようにすれば、より水の流れをスムーズにできる。
【００３１】
周壁部１４の上端部には、蓋８と嵌合する突起１４ａが設けられており、この突起１４ａに蓋８のフランジ部２２に形成された溝２２ａを嵌合させることで、これらケース７と蓋８とが液密状態で結合される。
【００３２】
蓋８は、導水口８ａの形成される基底部２１を備えている。導水口８ａは、図３に示すように、略矩形に形成されており、基底部２１の外周部に沿って複数（本実施形態では６つ）設けられている。そして、この導水口８ａには、例えばインサート成形等により浄化剤１５の粒径より小さく設定された透水性のフィルタ部材２５が蓋８と一体に張られており、浄化剤１５の漏れが防止されている。
【００３３】
また、本実施形態の蓋８には、基底部２１から上方に突出された突出部２３が設けられており、この突出部２３にはエア抜き通路が形成されている。浄水カートリッジ６内に不本意に空気が溜まると、水の重力と空気の浮力が釣り合って水の流路が空気で塞がれてしまうため、所望の流量が得られなくなって、浄水が得られるまでに時間がかかったりする虞がある。そこで、本実施形態では、浄水カートリッジ６の中心軸Ａｘに略沿って突出部２６を設け、この突出部２６の上端部にエア抜き孔３０を設けた。
【００３４】
かかる構成により、蓋８に形成されたエア抜き孔３０を利用して、浄水カートリッジ６内に溜まった空気を逃がすことができるとともに、突出部２３によりエア抜き孔３０が導水口８ａよりも高い位置となるように設けられているため、エア抜き孔３０と導水口８ａとの圧力差を利用して、浄水カートリッジ６内の空気を効率よく外部に押し出し、水の導入をスムーズに行うことができる。なお、エア抜き孔３０と導水口８ａとの高低差は５ミリ以上設けることが好ましい。１０ミリ以上の高低差を設けるとより好ましい。
【００３５】
エア抜き孔３０には、導水口８ａと同様に、例えばインサート成形等により浄化剤１５の粒径より小さく設定された透水性のフィルタ部材２６が蓋８と一体に張られており、浄化剤１５の漏れが防止されている。
【００３６】
また、図３に示すように、このエア抜き孔３０が形成される突出部２６には、円環状のつまみ２４が延設されている。ケース７の周壁部１４の外面には、周方向に沿う複数（本実施形態では２本）の凸条２７が設けられており、この凸条２７を隔壁体３の凹部３ｂに形成された突起３ｆに係合させるとともに、つまみ２４を回動操作させることで、浄水カートリッジ６を隔壁体３の凹部３ｂに嵌着させることができる。また、この時、底壁部１３の外面に形成されたシール部２８を凹部３ｂの奥壁３ｃに圧接して液密状態に結合することで、原水室４の原水が浄水カートリッジ６内を流入せずに浄化室５に漏れ出てしまうことを防止している。
【００３７】
以上、説明してきたように、本実施形態では、天面が開口されるとともに、浄化剤１５が内部に充填されたケース７と、当該ケース７の開口を覆うように結合され且つ導水口８ａが形成された蓋８とを備え、蓋８には、導水口８ａよりも高い位置となるようにエア抜き孔３０が形成されているとともに、エア抜き孔３０および導水口８ａには、浄化剤１５の外部への漏れを防止するフィルタ部材２５が一体成型された浄水カートリッジ６を用いている。そのため、原水はフィルタ部材２５が一体成型された導水口８ａ通過時のみの圧力損失で水の抵抗を抑制できるとともに、導水口８ａよりも高い位置となるようにエア抜き孔３０が形成されているため、これらの圧力差を利用して水の導入をスムーズに行うことができ、浄水カートリッジの性能を向上できる。
【００３８】
［第２実施形態］
次に、本発明の第２実施形態について図面を参照して説明する。図４は、本実施形態にかかる浄水カートリッジの断面図、図５は、本実施形態にかかる浄水カートリッジの斜視図である。
【００３９】
本実施形態にかかる浄水カートリッジ４０は、上記第１実施形態にかかる浄水カートリッジ６に替えて、浄水器１に装着して用いることができるものであり、ケース７に結合される蓋８Ａと浄化剤１５の漏れを防止するフィルタ部材３３とが、上記第１実施形態の浄水カートリッジ６に対して異なる。
【００４０】
具体的には、本実施形態では、蓋８Ａの基底部２１にエア抜き孔３０Ａが形成されており、当該エア抜き孔３０Ａよりも低い位置となるように導水口８ｂを設ける構成とした。
【００４１】
エア抜き孔３０Ａは、図５に示すように、基底部２１の外周部に沿って複数（本実施形態では６つ）設けられている。そして、本実施形態では、突出部２３Ａが基底部２１から下方に突出されており、この突出部２３Ａの下端部に導水口８ｂが形成されている。
【００４２】
そして、ケース７と蓋８Ａとの間には、浄化剤１５の粒径より小さく設定された透水性のフィルタ部材３３が配設されている。このフィルタ部材３３は、ケース７の周壁部２４の上端部に取り付けられており、可撓性を有してエア抜き孔３０Ａと導水口８ｂとを覆っている。フィルタ部材３３は、例えば不織布等で構成することができる。
【００４３】
以上のように、本実施形態では、突出部２３Ａにより導水口８ｂがエア抜き孔３０Ａよりも低い位置となるように設けられているため、上記第２実施形態と同様に、エア抜き孔３０Ａと導水口８ｂとの圧力差を利用して、水の導入をスムーズに行うことができ、浄水カートリッジ４０の性能を向上させることができる。
【００４４】
また、本実施形態では、ケース７と蓋８Ａとの間にフィルタ部材３３を配設する構成であるため、後加工でフィルタ部材３３を配設できる分、蓋８Ａの形状の制約が少なく設計自由度を拡大することができるという利点がある。
【００４５】
［第３実施形態］
次に、本発明の第３実施形態について図面を参照して説明する。図６は、本実施形態にかかる浄水カートリッジの断面図、図７は、本実施形態にかかる浄水カートリッジの斜視図である。
【００４６】
本実施形態にかかる浄水カートリッジ５０は、上記第１、第２実施形態にかかる浄水カートリッジ６、４０に替えて、浄水器１に装着して用いることができるものであり、蓋８Ｂに形成される導水口８ｃと浄化剤１５の漏れを防止するフィルタ部材４３とが、上記第２実施形態の浄水カートリッジ４０に対して異なる。
【００４７】
具体的には、本実施形態では、蓋８Ｂの基底部２１にエア抜き孔３０Ａを形成するとともに、当該エア抜き孔３０Ａよりも低い位置となるように導水口８ｃを設け、且つ、当該導水口８ｃの口径を浄化剤１５より小さくする構成とした。
【００４８】
エア抜き孔３０Ａは、図７に示すように、基底部２１の外周部に沿って複数（本実施形態では６つ）設けられている。このエア抜き孔３０Ａには、例えばインサート成形等により浄化剤１５の粒径より小さく設定された透水性のフィルタ部材４３が張られており、浄化剤１５の漏れが防止されている。
【００４９】
そして、本実施形態では、突出部２３Ｂが基底部２１から下方に突出して複数（本実施形態では３つ）設けられており、この突出部２３Ｂの下端部にそれぞれ導水口８ｃが形成されている。導水口８ｃは、口径が浄化剤１５の粒径より小さくなるように形成されており、これにより、浄化剤１５の漏れが防止されている。
【００５０】
以上のように、本実施形態では、突出部２３Ｂにより導水口８ｃがエア抜き孔３０Ａよりも低い位置となるように設けられているため、上記第２実施形態と同様に、エア抜き孔３０Ａと導水口８ｃとの圧力差を利用して、水の導入をスムーズに行うことができ、浄水カートリッジ５０の性能を向上することができる。
【００５１】
また、本実施形態では、導水口８ｃの口径が浄化剤１５の粒径よりも小さいため、空気抜き孔３０Ａにフィルタ部材４３を配設するだけですみ、その分部品点数を削減することができるという利点がある。
【００５２】
［第４実施形態］
次に、本発明の第４実施形態について図面を参照して説明する。図８は、本実施形態にかかる浄水カートリッジの断面図である。
【００５３】
本実施形態にかかる浄水カートリッジ６０は、上記第１〜第３実施形態にかかる浄水カートリッジ６、４０、５０に替えて、浄水器１に装着して用いることができる。
【００５４】
本実施形態にかかる浄水カートリッジ６０は、浄水カートリッジ６０内に導入される原水の流量が多い場合に発生するチャネリングを防止しようとするもので、ケース７Ａ内の内部構成が上記第１実施形態にかかる浄水カートリッジ６に対して異なる。
【００５５】
具体的には、本実施形態では、ケース７Ａの底壁部１３に、当該ケース７Ａの天面に向け隔壁５５を立設させて、この隔壁５５の内側を浄化室Ｓ１ａとする構成とした。
【００５６】
隔壁５５は、底壁部１３に形成された孔１３ａを囲うようにして周方向に沿って設けられており、浄化室Ｓ１ａと隔壁５５の外側に形成される整流室Ｓ３とを２つの空間に分けている。そして、本実施形態では、底壁部１３の平面視で浄化室Ｓ１ａにおける略円形状の開口領域Ａｗを避ける位置に導水口８ａを設けるようにした。
【００５７】
かかる構成により、導水口８ａから導入された原水が排水口７ｃに向け最短距離で流れやすい流路を辿るチャネリングの発生を防止することができ、これにより、原水が充分に浄化されずに排水口７ｃから排出されてしまうのを防止することができる。
【００５８】
なお、隔壁５５の上部には、浄化剤１５の粒径よりも広く形成されたスリット５５ａが形成されており、整流室Ｓ３に零れ出てしまった浄化剤１５を導水口８ａからの水流により浄化室Ｓ１ａ内に送れるようにしている。
【００５９】
本実施形態では、浄化剤１５の漏れを防止する多孔質プレート１８Ａは、隔壁５５内側の浄化室Ｓ１ａの下方に設けられており、多孔質プレート１８Ａを底上げする凸部１９Ａも隔壁５５の内側に形成れている。なお、スリット５５ａの下端部５５ｂは、当該下端部５５ｂから多孔質プレート１８Ａの深さに充填される浄化剤１５のみで充分原水を浄化できる位置であることが好ましい。
【００６０】
以上のように、本実施形態では、ケース７Ａの底壁部１３に、当該ケース７Ａの天面に向け隔壁５５を立設させて浄化剤１５を収容する浄化室Ｓ１ａを設け、底壁部１３の平面視で前記浄化室Ｓ１ａにおける開口領域Ａｗを避ける位置の蓋８に導水口８ａを設けた浄水カートリッジ６０を用いている。そのため、チャネリングの発生を防止して原水を確実に浄化させることができるため、浄水カートリッジの性能を向上することができる。
【００６１】
また、導水口８ａと当該導水口８ａよりも高い位置となるように設けられたエア抜き孔３０とで、上記第１実施形態と同様に、水の導入をスムーズに行うことができる。
【００６２】
次に、図９を参照して、第４実施形態にかかる浄水カートリッジ６０の変形例について説明する。
【００６３】
本変形例にかかる浄水カートリッジ６０Ａは、上記第１〜第４実施形態にかかる浄水カートリッジ６、４０、５０、６０に替えて、浄水器１に装着して用いることができるものであり、隔壁５５Ａが上記第４実施形態にかかる浄水カートリッジ６０に対して異なる。
【００６４】
具体的には、本変形例では、隔壁５５Ａを蓋８の基底部２１まで延在させて設けるとともに、隔壁５５Ａの上部に形成されるスリット５５ｃの幅を、浄化剤１５の粒径よりも小さくする構成とした。
【００６５】
かかる構成により、本変形例では、浄化室Ｓ１ａに収容された浄化剤１５が整流室Ｓ２に零れ出るのを防げるため、導水口８ａにフィルタ部材を設ける必要がなくなり、部品点数を削減することができるという利点がある。
【００６６】
［第５実施形態］
次に、本発明の第５実施形態について図面を参照して説明する。図１０は、本実施形態にかかる浄水カートリッジの断面図、図１１は、本実施形態にかかる浄水カートリッジの斜視図である。
【００６７】
本実施形態にかかる浄水カートリッジ７０は、上記第１〜第４実施形態ならびに第４実施形態の変形例にかかる浄水カートリッジ６、４０、５０、６０、６０Ａに替えて、浄水器１に装着して用いることができるものであり、導水口７ａとエア抜き孔３０Ｂの位置が上記第４実施形態にかかる浄水カートリッジ６０に対して異なる。
【００６８】
具体的には、本実施形態では、蓋８Ｃの基底部２１にエア抜き孔３０Ｂを形成するとともに、ケース７Ｃの周壁部１４に導水口７ａを設ける構成とした。
【００６９】
エア抜き孔３０Ｂは、図１０に示すように、基底部２１の略中心部に設けられている。このエア抜き孔３０Ｂには、例えばインサート成形等により浄化剤１５の粒径より小さく設定された透水性のフィルタ部材４３が一体に張られており、浄化剤１５の漏れが防止されている。
【００７０】
導水口７ａは、エア抜き孔３０Ｂとの高低差をできるだけ大きくするため、本実施形態では、周壁部１４の外面に形成される凸条２７の近傍で且つこの凸条２７より上部に設けるようにしている。
【００７１】
底壁部１３には、上記第４実施形態と同様に、ケース７Ｃの天面に向け隔壁５５が立設されており、この隔壁５５の内側に浄化室Ｓ１ａが形成されている。そして、本実施形態では、隔壁５５を導水口７ａよりも高い位置となるように延在させて設けるとともに、隔壁５５に形成されるスリット５５ａの下端部５５ｂも導水口７ａよりも高い位置となるようにしている。
【００７２】
以上の構成の本実施形態の浄水カートリッジ７０では、原水室４の原水は、隔壁体３の凹部３ｂを伝ってケース７の周壁部１４に形成された導水口７ａから導入される。導水口７ａをケース７の周壁部１４に設けることで、導水口７ａと空気抜き孔３０Ｂとの高低差を大きくできるため、水の導入をよりスムーズに行うことができる。
【００７３】
また、本実施形態では、隔壁５５およびスリット５５ａの下端部５５ｂを導水口７ａよりも高い位置に設けたため、上記第４実施形態と同様に、導水口７ａから導入された原水が排水口７ｃに向けて流れやすい流路を辿るチャネリングの発生を防止できる。そして、これにより、原水が充分に浄化されずに排水口７ｃから排出されるのを防ぐことができるため、浄水カートリッジ７０の性能を向上することができる。
【００７４】
以上、本発明の好適な実施形態について説明したが、本発明は上記実施形態には限定されず、種々の変形が可能である。例えば、浄水カートリッジを円筒形以外の形状としてもよい。また、添加剤収容室や、浄化室、導水口、その他細部のスペック（形状、大きさ、レイアウト等）も適宜に変更可能である。また、上記第４、第５実施形態では、隔壁を底壁部に立設したが、周壁部からケースの天面に向けＬ字状に突設される形状の隔壁を設けてもよい。また、隔壁を天面に向け拡径あるいは縮径するように傾斜させてもよい。
【符号の説明】
【００７５】
１  浄水器
７，７Ａ，７Ｂ，７Ｃ  ケース
８，８Ａ，８Ｂ，８Ｃ  蓋
８ａ，８ｂ，８ｃ  導水口
１５    浄化剤
２５，２６，３３，４３，４９  フィルタ部材
３０，３０Ａ，３０Ｂ  エア抜き孔
【図１】
2010162491.tif 000003
【図２】
2010162491.tif 000004
【図３】
2010162491.tif 000005
【図４】
2010162491.tif 000006
【図５】
2010162491.tif 000007
【図６】
2010162491.tif 000008
【図７】
2010162491.tif 000009
【図８】
2010162491.tif 000010
【図９】
2010162491.tif 000011
【図１０】
2010162491.tif 000012
【図１１】
2010162491.tif 000013